(57)【要約】【課題】粘着テープなどを使用することなく側板形成用フラップと接合用フラップとからなる側板の再閉鎖を行なえるようにした段ボール製包装箱を提供する。【解決手段】第４の側板を構成する側板形成用フラップ７，９と一方の接合用フラップ１１との重なり部の近傍において側板形成用フラップ７，９には接合用フラップ１１との重なり部の境界部分を切り開くためのカット線１４，１５が形成され、このカット線１４，１５は両端が底板２および天板４との連設線に対して直角であり、中央部は一方の接合用フラップ１１の上側位置で円弧状に膨らんでいる。【選択図】    図１
2006248546.tif 000002
【特許請求の範囲】
【請求項１】
第１の側板１と、この第１の側板２の下端辺に一側辺側が連設された底板２と、この底板２の他側辺側に下端辺が連設された第２の側板３と、この第２の側板３の上端辺に一側辺側が連設された天板４と、前記第１の側板２の上端辺と天板４の他側辺とを接合する止め代５と、前記底板２および天板４の両端に連設され前記第１および第２の側板１および３の高さの半分の高さを有する側板形成用フラップ６，７および８，９と、前記第１および第２の側板１および３の両端に連設され前記側板形成用フラップ６，８および７，９の内側に位置して側板形成用フラップ６，８および７，９と接着剤により接合される接合用フラップ１０，１１および１２，１３とから構成され、前記側板形成用フラップ６，８および７，９を接合用フラップ１０，１２および１１，１３に接着接合することにより第３および第４の側板を形成するようにした段ボール製包装箱であって、第３および第４の側板の内、少なくとも何れか一方の側板を構成する側板形成用フラップ７，９と一方の接合用フラップ１１との重なり部の近傍において側板形成用フラップ７，９には接合用フラップ１１との重なり部の境界部分を切り開くためのカット線１４，１５が形成され、このカット線１４，１５は両端が底板２および天板４との連設線に対して直角であり、中央部は一方の接合用フラップ１１の上側位置で円弧状に膨らんでいることを特徴とする段ボール製包装箱。
【請求項２】
側板形成用フラップ７，９の内、少なくとも何れか一方の側板形成用フラップ７の中央部に他方の側板形成用フラップ９に向き合う端面より指差し込み孔形成用の切り込み部１８が形成されていることを特徴とする請求項１記載の段ボール製包装箱。
【請求項３】
一方の接合用フラップ１１側で側板形成用フラップ７および９と底板２および天板４との連設線上において前記カット線１４，１５との交差部と端部との間に亘ってカット線１６，１７が形成されていることを特徴とする請求項１または２記載の段ボール製包装箱。
【発明の詳細な説明】
【技術分野】
【０００１】
本発明は、ラップラウンド形式の段ボール製包装箱に関するものである。
【背景技術】
【０００２】
従来のラップラウンド形式の段ボール製包装箱は例えば特許文献１に開示されているように第１の側板と、この第１の側板の下端辺に一側辺側が連設された底板と、この底板の他側辺側に下端辺が連設された第２の側板と、この第２の側板の上端辺に一側辺側が連設された天板と、この天板の他側辺側に連設され前記第１の側板の上端に接着剤により接合される止め代と、前記底板および天板の両端に連設され前記第１および第２の側板の高さの半分の高さを有する側板形成用フラップと、前記第１および第２の側板の両端に連設され前記側板形成用フラップの内側に位置して側板形成用フラップと接着剤により接合される接合用フラップとから構成され、前記側板形成用フラップを接合用フラップに接着接合することにより第３および第４の側板を形成している。
【特許文献１】特開平８−２８２６５２号公報
【発明の開示】
【発明が解決しようとする課題】
【０００３】
上記特許文献１に開示されている段ボール製包装箱の中に例えば飲料缶を多数本収納して販売し、家庭などで飲料缶を１本乃至複数本づつ小出しに取り出す場合、第３の側板を下に向け、第４の側板を上にして、この第４の側板の側板形成用フラップを接合用フラップから剥して開口し、この開口部から飲料缶を小出しに取り出している。飲料缶を小出しに取り出した状態において包装箱の中には飲料缶が残っているので、包装箱の中にごみやほこりが入るのを防止するために側板形成用フラップを閉じておきたいのであるが、側板形成用フラップを接合用フラップから一旦剥してしまうと何も使わずに再度閉じることは不可能であり、側板形成用フラップを再度閉じるときは、粘着テープなどを使用しなければならない。
【０００４】
本発明の目的は、このような課題を解決するものであり、粘着テープなどを使用することなく側板形成用フラップと接合用フラップとからなる側板の再閉鎖を行なえるようにした段ボール製包装箱を提供することにある。
【課題を解決するための手段】
【０００５】
本発明の請求項１に記載の段ボール製包装箱は、第１の側板１と、この第１の側板２の下端辺に一側辺側が連設された底板２と、この底板２の他側辺側に下端辺が連設された第２の側板３と、この第２の側板３の上端辺に一側辺側が連設された天板４と、前記第１の側板２の上端辺と天板４の他側辺とを接合する止め代５と、前記底板２および天板４の両端に連設され前記第１および第２の側板１および３の高さの半分の高さを有する側板形成用フラップ６，７および８，９と、前記第１および第２の側板１および３の両端に連設され前記側板形成用フラップ６，８および７，９の内側に位置して側板形成用フラップ６，８および７，９と接着剤により接合される接合用フラップ１０，１１および１２，１３とから構成され、前記側板形成用フラップ６，８および７，９を接合用フラップ１０，１２および１１，１３に接着接合することにより第３および第４の側板を形成するようにした段ボール製包装箱であって、第３および第４の側板の内、少なくとも何れか一方の側板を構成する側板形成用フラップ７，９と一方の接合用フラップ１１との重なり部の近傍において側板形成用フラップ７，９には接合用フラップ１１との重なり部の境界部分を切り開くためのカット線１４，１５が形成され、このカット線１４，１５は両端が底板２および天板４との連設線に対して直角であり、中央部は一方の接合用フラップ１１の上側位置で円弧状に膨らんでいることを特徴とする。
【０００６】
請求項２に記載の段ボール製包装箱は、側板形成用フラップ７，９の内、少なくとも何れか一方の側板形成用フラップ７の中央部に他方の側板形成用フラップ９に向き合う端面より指差し込み孔形成用の切り込み部１８が形成されていることを特徴とする。
【０００７】
請求項３に記載の段ボール製包装箱は、一方の接合用フラップ１１側で側板形成用フラップ７および９と底板２および天板４との連設線上において前記カット線１４，１５との交差部と端部との間に亘ってカット線１６，１７が形成されていることを特徴とする。
【発明の効果】
【０００８】
以上のように、本発明の段ボール製包装箱は、上端に位置する側板の側板形成用フラップ７，９を開いて飲料缶を小出しに取り出すとき、側板形成用フラップ７，９に開く方向に力を掛けることにより側板形成用フラップ７，９は接合用フラップ１３から剥がれるとともに前記カット線１４，１５の部分で切り取られ、前記接合用フラップ１１に接合接着されている側板形成用フラップ７，９の端部を残して開かれる。このようにして側板形成用フラップ７，９が開かれた状態で段ボール製包装箱から飲料缶を小出しに取り出すことができる。飲料缶を取り出した後は前記側板形成用フラップ７，９を閉じ、カット線１４，１５の中央の円弧状膨らみ部によって側板形成用フラップ７，９の端部に形成されている突出片を接合用フラップ１１の下側に押し込み、突出片を接合用フラップ１１の裏面に係止させることにより側板形成用フラップ７，９は勝手に開くことがないように再度閉じることができる。
【０００９】
また、側板形成用フラップ７，９の内、少なくとも何れか一方の側板形成用フラップ７の中央部に他方の側板形成用フラップ９に向き合う端面より指差し込み孔形成用の切り込み部１８が形成されていることにより、側板形成用フラップ７，９を開く際、切り込み部１８に指を掛けることができるので開き易くなる。
【００１０】
また、一方の接合用フラップ１１側で側板形成用フラップ７および９と底板２および天板４との連設線上において前記カット線１４，１５との交差部と端部との間に亘ってカット線１６，１７が形成されていることにより、接合用フラップ１１上に残っている側板形成用フラップ７および９の部分を前記カット線１６，１７の位置で底板２および天板４から切り離すことにより段ボール製包装箱を平たく折り畳むことができて廃棄し易くなる。
【発明を実施するための最良の形態】
【００１１】
以下、本発明の一実施の形態を、図１〜図６に基づいて具体的に説明する。
図において、本実施の形態の段ボール製包装箱は、長辺側の第１の側板１と、この第１の側板２の下端辺に一側辺側が連設された底板２と、この底板２の他側辺側に下端辺が連設された長辺側の第２の側板３と、この第２の側板３の上端辺に一側辺側が連設された天板４と、前記第１の側板２の上端辺に連設され天板４の他側辺側の内面に重なって接着剤により接合される止め代５と、前記底板２および天板４の両端に連設され前記第１および第２の側板１および３の高さの半分の高さを有する側板形成用フラップ６，７および８，９と、前記第１および第２の側板１および３の両端に連設され前記側板形成用フラップ６，８および７，９の内側に位置して側板形成用フラップ６，８および７，９と接着剤により接合される接合用フラップ１０，１１および１２，１３とから構成され、前記側板形成用フラップ６，８および７，９を接合用フラップ１０，１２および１１，１３に接着接合することにより短辺側の第３および第４の側板を形成しており、ラップラウンド形式を呈している。
【００１２】
さらに詳しくは、前記第３および第４の側板の内、何れか一方は下向きに、他方は上向きとなるように立てられた状態において、上端に位置する側板（実施の形態では第４の側板）が再封緘可能に構成されている。即ち、第４の側板を構成する側板形成用フラップ７，９と一方の接合用フラップ１１との重なり部の近傍において側板形成用フラップ７，９にはカット線１４，１５が形成され、接合用フラップ１１との重なり部の境界部分を切り開くことができるようになっている。側板形成用フラップ７，９に形成されたカット線１４，１５は両端が底板２および天板４との連設線に対して直角に形成されたミシン目状であるが、中央部は一方の接合用フラップ１１の上側位置で円弧状に膨らんでほぼ全切状に形成されている。１４ａ，１５ａは円弧状膨らみ部である。また、一方の接合用フラップ１１側で側板形成用フラップ７および９と底板２および天板４との連設線上において前記カット線１４，１５との交差部と端部との間に亘ってミシン目状カット線１６，１７が形成されている。さらに、前記側板形成用フラップ７，９の内、何れか一方の側板形成用フラップ（実施の形態では底板２に連設されている側板形成用フラップ７）の中央部に他方の側板形成用フラップ９に向き合う端面より指差し込み孔形成用の切り込み部１８が形成されている。
【００１３】
上記構成において、段ボール製包装箱の中に収納された被収納物としての飲料缶を小出しに取り出す場合、第３の側板を下に向け、第４の側板を上に向けて段ボール製包装箱を床などの上に立てた状態で置き、上端に位置する第４の側板の側板形成用フラップ７，９を開いて飲料缶を小出しに取り出す。そのとき、一方の側板形成用フラップ７の切り込み部１８を押し込んで指差し込み孔を形成し、この指差し込み孔に指を掛けて側板形成用フラップ７に開く方向に力を掛ける。これにより側板形成用フラップ７は前記接合用フラップ１３から剥がれるとともに前記カット線１４の部分で切り取られ、前記接合用フラップ１１に接合接着されている側板形成用フラップ７の端部を残して開かれる。続いて、他方の側板形成用フラップ９に指を掛けて側板形成用フラップ９に開く方向に力を掛ける。これにより側板形成用フラップ９は前記接合用フラップ１３から剥がれるとともに前記カット線１５の部分で切り取られ、前記接合用フラップ１１に接合接着されている側板形成用フラップ９の端部を残して開かれる。このようにして側板形成用フラップ７，９が開かれた状態で段ボール製包装箱から飲料缶を小出しに取り出す。飲料缶を取り出した後は前記側板形成用フラップ７，９を閉じ、円弧状膨らみ部１４ａ，１５ａによって側板形成用フラップ７，９の端部に形成されている突出片１９，２０を接合用フラップ１１の下側に押し込み、突出片１９，２０を接合用フラップ１１の裏面に係止させることにより側板形成用フラップ７，９は勝手に開くことがないように閉じることができる。
【００１４】
なお、段ボール製包装箱から全ての飲料缶を取り出した後で段ボール製包装箱を廃棄する場合は、接合用フラップ１１上に残っている側板形成用フラップ７および９の部分を前記ミシン目状カット線１６，１７の位置で図６に示すように底板２および天板４から切り離すことにより段ボール製包装箱を平たく折り畳むことができる。
【００１５】
以上、図面に示す実施の形態における段ボール製包装箱について説明したが、前記第３の側板にも第４の側板側に設けたカット線１４，１５やカット線１６，１７と同様のカット線を設けることも可能である。また、底板２に連設されている側板形成用フラップ７に設けた指差し込み孔形成用の切り込み部１８と同様の切り込み部を側板形成用フラップ９側に設けることも可能である。つまり、２枚の側板形成用フラップに指差し込み孔形成用の切り込み部を向き合うように設けることも可能である。
【図面の簡単な説明】
【００１６】
【図１】本発明の一実施の形態における段ボール製包装箱の展開図である。
【図２】同段ボール製包装箱の組み立て完成斜視図である。
【図３】同段ボール製包装箱の被収納物を小出しに取り出すために第４の側板の側板形成用フラップを開いた状態を示す斜視図である。
【図４】同段ボール製包装箱の被収納物を小出しに取り出し後第４の側板の側板形成用フラップを再閉鎖した状態を示す斜視図である。
【図５】同段ボール製包装箱の被収納物を小出しに取り出し後第４の側板の側板形成用フラップを再閉鎖した状態を示す要部拡大断面図である。
【図６】同段ボール製包装箱を廃棄する前の状態を示す斜視図である。
【符号の説明】
【００１７】
１                      第１の側板
２                      底板
３                      第２の側板
４                      天板
５                      止め代
６，７，８，９          側板形成用フラップ
１０，１１，１２，１３    接合用フラップ
１４，１５                カット線
１４ａ，１５ａ            円弧状膨らみ部
１６，１７                ミシン目状カット線
１８                      切り込み部
１９，２０                突出片
【図１】
2006248546.tif 000003
【図２】
2006248546.tif 000004
【図３】
2006248546.tif 000005
【図４】
2006248546.tif 000006
【図５】
2006248546.tif 000007
【図６】
2006248546.tif 000008